(57)【特許請求の範囲】
【請求項１】
回転式血管内超音波装置から画像を生成する方法であって、前記方法は、
相補ゴレイ符号を血管内超音波装置の複数のトランスデューサに交互に送信するステップと、
前記トランスデューサから前記相補ゴレイ符号のエコーを受信するステップと、
前記受信したエコーを重み付けするステップ及び隣接する奇数個の前記重み付けされたエコーを合計するステップを含み、前記隣接する奇数個の前記重み付けされたエコーは、その中心にあるエコーである中心エコーは１．０の重み付け値が与えられ、前記中心エコーの両隣はゴレイ対の相補エコーを構成する、前記エコーのパルス圧縮を実行するステップと、
前記パルス圧縮されたエコーから画像を生成するステップと
を含む、方法。
【請求項２】
前記画像を表示するステップをさらに含む、請求項１に記載の方法。
【請求項３】
前記相補ゴレイ符号は、前記相補ゴレイ符号にわたってバイフェーズ窓を適用することによって作られる、請求項１に記載の方法。
【請求項４】
前記バイフェーズ窓は、バイフェーズ矩形窓、バイフェーズ・ハミング窓、バイフェーズ・ハニング窓及びバイフェーズ・バートレット窓の一つである、請求項３に記載の方法。
【請求項５】
前記方法は、前記相補ゴレイ符号の前記受信したエコーのコンボリューションを計算するステップをさらに含む、請求項１に記載の方法。
【請求項６】
回転式血管内超音波装置から超音波画像を生成するためのシステムであって、前記システムは、
相補ゴレイ符号を血管内超音波装置の複数のトランスデューサへ交互に送信し、
前記トランスデューサから前記相補ゴレイ符号のエコーを受信し、
前記エコーのパルス圧縮であって、前記受信したエコーを重み付けすること及び隣接する奇数個の前記重み付けされたエコーを合計することを含み、前記隣接する奇数個の前記重み付けされたエコーは、その中心にあるエコーである中心エコーは１．０の重み付け値が与えられ、前記中心エコーの両隣はゴレイ対の相補エコーを構成する当該パルス圧縮を実行し、
前記パルス圧縮されたエコーから画像を生成するように構成されているプロセッサを備える、システム。
【請求項７】
前記プロセッサは表示装置に結合され、前記画像が表示されるようにする、請求項６に記載のシステム。
【請求項８】
前記相補ゴレイ符号は、前記相補ゴレイ符号にわたってバイフェーズ窓を適用することによって作られる、請求項７に記載のシステム。
【請求項９】
前記バイフェーズ窓は、バイフェーズ矩形窓、バイフェーズ・ハミング窓、バイフェーズ・ハニング窓及びバイフェーズ・バートレット窓の一つである、請求項８に記載のシステム。
【請求項１０】
前記プロセッサは、前記相補ゴレイ符号の前記受信したエコーのコンボリューションを計算する、請求項７に記載のシステム。
【発明の詳細な説明】
【技術分野】
【０００１】
本出願は、２０１３年３月１３日に出願された米国仮特許出願第６１／７７８，７５７号の優先権の利益を主張し、その内容は全体として参照により本明細書に組み込まれる。
【０００２】
本発明は、概ね回転式血管内超音波装置から画像を生成するためのシステム及び方法に関する。
【背景技術】
【０００３】
超音波撮像では、空間解像度及び深度透過度は、画像品質を定量的に評価するための重要なパラメータである。一般に、超音波の中心周波数での波長が空間解像度を決定し、周波数が増大するにつれて解像度が向上する。しかしながら、組織減衰は、通常、周波数の線形関数として増加し、血管内超音波撮像アプリケーションで一般に採用される高い周波数（例えば４０ＭＨｚより高い周波数）では非線形にさえなって増加する。高周波数超音波は、近接場における高解像度の撮像を容易にするが、深度透過度が損なわれ得、深部組織構造を識別することを難しくする。
【０００４】
空間解像度の損失なしに深度透過度を向上させるためには、より多くの送信エネルギーを撮像対象に供給するために、送信電圧レベルが通常は増加される。しかしながら、このアプローチは、診断医療用超音波の規制によって、並びに、超音波トランスデューサ要素と撮像システム電子機器との間の長いケーブル長及びカテーテルが装着されたトランスデューサと一体化される小さなサイズの電子機器などの血管内超音波撮像環境の性質によっての両方で制限される。
【発明の概要】
【発明が解決しようとする課題】
【０００５】
送信電圧レベルの増加ではなく、伸長された変調送信バーストを用いる符号化励起法が、向上した空間解像度のために動作周波数を増大させながら深度透過度を維持するというジレンマに対処するために、採用されてきた。この方法は、パルス圧縮と呼ばれる。パルス圧縮を用いる超音波撮像装置は、従来の短いパルスの代わりに符号化された長いパルスを採用する。符号化励起法の一つの種類は、ゴレイ（Golay）符号を使用する。ゴレイ符号は、短いバーストで変調されるバイナリコードである。（特定シーケンスの）２つの異なるバイナリコードは、ゴレイ対を構成する。２つの符号が別々に復号されて合計されると、レンジサイドローブは、メインローブのみを残して、完全に除去される。ゴレイ符号のこの特性により、ゴレイ符号を超音波撮像装置に活用するために大いなる試みがなされてきた。
【０００６】
実際には、組織構造内の超音波の非線形伝搬、モーションアーチファクト、及び他の非理想性のために、レンジサイドローブは完全に除去されない。特に回転式血管内超音波では、連続回転が、ゴレイ対を作るのに使用される隣接するＡ−スキャンに対してわずかな角度ずれを引き起こし、結果としてレンジサイドローブレベルが増大する。
【課題を解決するための手段】
【０００７】
本発明は、ゴレイ符号の回転式血管内超音波法（intravascular ultrasound：ＩＶＵＳ）におけるモーションアーチファクトを抑制するために、短いバースト変調ゴレイ符号をマルチビームアプローチと共に用いる。ゴレイ符号と共に使用するマルチビーム・ストラテジは、相補ゴレイ符号を交互に送信することと、次いで、（１より大きい）奇数の重み付けされて復号されたＡ−スキャンを合計することとを含む。
【０００８】
ある態様では、本発明は、回転式血管内超音波装置から画像を生成する方法を提供する。本方法は、相補ゴレイ符号を血管内超音波装置の複数のトランスデューサに交互に送信することを含む。加えて、本方法は、トランスデューサから相補符号のエコーを受信し、エコーのパルス圧縮を実行することを含む。パルス圧縮は、受信したエコーを重み付けするステップと、奇数の重み付けされたエコーを合計するステップとを含み、中心エコーは１．０の重み付け値が与えられ、中心エコーの両隣はゴレイ対の相補エコーを構成する。画像は圧縮されたエコーから作られ、画像は表示されてもよい。本発明の方法は、さらに、相補符号の受信したエコーのコンボリューションを計算することを含んでもよい。
【０００９】
当該技術において知られる任意の技術が、ゴレイ符号を作るために使用されてもよい。ある実施形態では、ゴレイ符号は、ゴレイ符号にわたってバイフェーズ窓を適用することによって作られる。バイフェーズ窓は、バイフェーズ矩形窓、バイフェーズ・ハミング窓、バイフェーズ・ハニング窓及びバイフェーズ・バートレット窓の一つであってもよい。
【００１０】
本発明の別の態様は、回転式血管内超音波装置から超音波画像を生成するためのシステムを提供する。本システムは、プロセッサと、該プロセッサに結合される複数のビームモジュールとを含む。各モジュールは、プロセッサからトリガ信号を受信するための受信機と、ゴレイ符号でプログラミングされた複合プログラマブル論理デバイスと、高電圧切替送信機と、超音波トランスデューサとを含む。
【００１１】
プロセッサは、トリガ信号をビームモジュールに交互に送信し、これによりビームモジュールに相補ゴレイ符号を交互に送信させる。プロセッサは、相補符号のエコーを受信する。プロセッサは、受信したエコーを重み付けするステップと、奇数の重み付けされたエコーを合計するステップとを含むエコーのパルス圧縮を実行し、該圧縮では、中心エコーは１．０の重み付け値が与えられ、中心エコーの両隣はゴレイ対の相補エコーを構成する。プロセッサは、圧縮されたエコーから画像を生成する。プロセッサは表示装置に結合され、画像が表示されるようにする。
【図面の簡単な説明】
【００１２】
【図１】図１は、長さ８のゴレイ相補シーケンスの対を用いるサイドローブのキャンセリングの原理を示す一連のグラフである。
【図２】図２は、本発明のシステムを示す。
【図３】図３は、どのように本発明の方法が実行されるかを示す図である。
【発明を実施するための形態】
【００１３】
本発明は、概して回転式血管内超音波（ＩＶＵＳ）装置から画像を生成するためのシステム及び方法に関する。本発明のシステム及び方法は、特に回転式ＩＶＵＳに有用である。回転式ＩＶＵＳカテーテルでは、圧電結晶を有する単一トランスデューサは、電気パルスで断続的に励起されながら、高速回転される（例えば毎分約１８００回転）。励起パルスは、トランスデューサを、一連の送信パルスを送出するように振動させる。送信パルスは、エコー信号の受信のための時間を許容する周波数で送信される。受信信号が散在する送信パルスのシーケンスは、血管の完全な断面画像を再構築するのに必要な超音波データを提供する。
【００１４】
回転式ＩＶＵＳカテーテルの一般的なデザイン及び構造は、例えばYockの米国特許第4,794,931号、第5,000,185号及び第5,313,949号；Sieben等の米国特許第5,243,988号及び第5,353,798号；Crowley等の米国特許第4,951,677号；Pomeranzの米国特許第5,095,911号、Griffith等の米国特許第4,841,977号、Maroney等の米国特許第5,373,849号、Born等の米国特許第5,176,141号、Lancee等の米国特許第5,240,003号、Lancee等の米国特許第5,375,602号、Gardineer等の米国特許第5,373,845号、Seward等のMayo Clinic Proceedings 71(7):629-635 (1996)、Packer等のCardiostim Conference 833 (1994), "Ultrasound Cardioscopy," Eur. J.C.P.E. 4(2):193 (June 1994)、Eberle等の米国特許第5,453,575号、Eberle等の米国特許第5,368,037号、Eberle等の米国特許第5,183,048号、Eberle等の米国特許第5,167,233号、Eberle等の米国特許第4,917,097号、Eberle等の米国特許第5,135,486号、並びに腔内超音波装置及びモダリティに関する技術において良く知られた他の引用文献に示されている。カテーテルは、一般的に近位及び遠位領域を有し、遠位領域に位置付けられるイメージング用先端部を含む。このようなカテーテルは、患者の体内の関心領域に位置付けられると、イメージング用先端部を取り囲むエリアの超音波検査画像を取得する能力を有する。カテーテル及びこれに関連する電子回路は、関心領域で取得された各超音波検査データセットに対してカテーテル軸の位置を規定することができる。
【００１５】
本発明のシステム及び方法は、ゴレイ符号を使用する。超音波におけるゴレイ符号の使用は、例えば米国特許第7,535,797号；第6,958,042号；第6,663,565号；第6,638,227号；第6,491,631号；第6,375,618号；第6,350,240号；第6,312,384号；第6,210,332号；第6,186,949号；及び第6,146,328号に説明されており、各々の内容は全体として参照により本明細書に組み込まれる。
【００１６】
ゴレイ相補シーケンスはバイナリコードの対であり、相補対と呼ばれるより信号の大きなファミリに属し、自己相関関数は、大きさが等しく符号が逆のサイドローブを有する同じ長さＮの２つの符号から構成される。これらを合計すると、２Ｎのピーク及びゼロサイドローブを有する合成自己相関関数になる。図１は、各々が８ビットに等しい長さの信号の対に対するサイドローブキャンセリングの原理を示す。
【００１７】
基本的に、ゴレイ対を生成するためのいくつかのアルゴリズムが有る。仮に、変数ａｉ及びｂｉ（ｉ＝１，２，・・・ｎ）は、‘＋１’又は‘−１’、［３］、のいずれかに等しい２つのｎ長相補系列の要素であるとする。
【数１】
0006339170.tif 000002
【００１８】
順序対（Ａ；Ｂ）は、これらの関連する多項式
【数２】
0006339170.tif 000003
が、ローラン多項式環Ｚ［ｘ，ｘ−１］における恒等式
【数３】
0006339170.tif 000004
を満たすとき、且つ、そのときに限り長さｎのゴレイシーケンスである。
【００１９】
仮に、シーケンスＡ及びＢに対応する自動相関関数ＮＡ及びＮＢは
【数４】
0006339170.tif 000005
によってそれぞれ規定されるとし、ここで、ｋが（１．．．ｎ）に属さない場合、ａｋ＝０と設定する。ここで、条件式（３）は、和ＮＡ＋ＮＢ、及び
【数５】
0006339170.tif 000006
によって表現することができる。両方の自己相関関数の和は、ｊ＝０において２Ｎであり、そうでなければゼロになる。
【００２０】
ゴレイシーケンスを構築するための第２の再帰的方法が以下に示される。仮に、変数ａ（ｉ）及びｂ（ｉ）は、長さ２ｎの要素＋１、−１を有する２つの相補シーケンスの要素（ｉ＝０，１，２，・・・２ｎ−１）であるとし、
【数６】
0006339170.tif 000007
【数７】
0006339170.tif 000008
ここで、δ（ｉ）はクロネッカーのデルタ関数である。
【００２１】
式７は、各ステップにおいて、シーケンスの新しい要素は、長さｎの要素ａｎ（ｉ）及びｂｎ（ｉ）の連結によって作られることを示す。
例：
仮にｎ＝１とすると、ｉは値０及び１をとる。
【数８】
0006339170.tif 000009
最終的な結果として、長さ２ｎの２つの相補シーケンスを得る：
【数９】
0006339170.tif 000010
ひとたびこれらの動作がｎ＝２，３，４．．．に対して再帰的に実行されると、下記の相補シーケンスが得られる：
【数１０】
0006339170.tif 000011
適用される数学的形式のみが異なる相補符号対を生成する同様のやり方は、Mendieta等によって説明されており（Complementary sequence correlations with applications to reflectometry studies, Instrumentation and Development, 3, 6, 1996）、その内容は全体として参照により本明細書に組み込まれる。
【００２２】
図２及び図３は、本発明のシステム及び方法を示す。本システムは、プロセッサと、該プロセッサに結合される複数のビームモジュールとを含む。各モジュールは、プロセッサからのトリガ信号を受信するための受信機と、ゴレイ符号でプログラミングされた複合プログラマブル論理デバイスと、高電圧切替送信機と、超音波トランスデューサとを含む。
【００２３】
プロセッサは、トリガ信号をビームモジュールに交互に送信し、これによりビームモジュールに相補ゴレイ符号を交互に送信させる。超音波透過の第１の時点では、トランスデューサアレイの奇数トランスデューサが、第１符号シーケンス（ゴレイ符号１（Ｇ１））に対応する超音波パルス信号を送信する。トランスデューサアレイの偶数トランスデューサが、第２符号シーケンス（ゴレイ符号２（Ｇ２））に対応する超音波パルス信号を送信する。人間の身体などの関心対象への超音波パルス信号の送信と、関心対象からの反射された信号の受信とが同時に起こる。第１及び第２の超音波透過における対応するゴレイ符号に対するトランスデューサアレイの偶数トランスデューサと奇数トランスデューサとの間の切り替えは、グレーティングローブを低減する。グレーティングローブは、超音波信号が望まないやり方で補完される場合に生成されるビームパターンのピークである。
【００２４】
プロセッサは相補符号のエコーを受信する。プロセッサは、受信したエコーを重み付けするステップと、奇数の重み付けされたエコーを合計するステップとを含むエコーのパルス圧縮を実行し、該圧縮では、中心エコーは１．０の重み付け値が与えられ、中心エコーの両隣の重み付けされた合計はゴレイ対の相補エコーを構成する。例えば、図３は、３つのビームが、１つの複合ゴレイ符号化励起走査線を生成するのに使用されることを示す。図は、各送信信号がゴレイ符号のメンバーと対になることを示す。システムは、対が交互である（Ｇ１、Ｇ２、Ｇ１、Ｇ２、Ｇ１、Ｇ２等）ように設定される。例として一番上の３つのビームを見る。第１走査線は、ゴレイ符号２からの対の１つのメンバーと、ゴレイ符号１の対の両方のメンバーを合計することによって作られる。ゴレイ符号２の対のメンバーは、ゴレイ符号２の対のメンバーと隣接するゴレイ符号１の対の中心線である。中心ビーム（ゴレイ符号２）のための重み付けは１．０であり、一方で、隣接するビーム（ゴレイ符号対Ｇ１及びＧ１）は各々０．５である。このやり方では、ゴレイ符号１からの対は互いにキャンセリングされ、ゴレイ符号２のメンバーの中心線ビームのみが残り、これにより、走査線１に対するサイドローブを除去し、この走査線に対するアーチファクトを取り除く。
【００２５】
該プロセスは、その後各走査線に対して繰り返され、画像が走査線から組み立てられる。プロセッサは表示装置に結合され、画像が表示されるようにする。
【００２６】
特許、特許出願、特許公報、雑誌、書籍、ウェブコンテンツなど他の書類の参照及び引用が、この開示を通して行われてきた。全てのこのような文書は、ここで全ての目的に対して全体として参照により本明細書に組み込まれる。
【００２７】
ここに示された及び説明されたものに加えて、本発明のさまざまな変更形態及び多くの他の実施形態は、ここに引用された科学及び特許文献への参照を含むこの文書の全ての内容から当業者に明らかになるだろう。本明細書の内容は、さまざまな実施形態及びこれらと同等のものにおける本発明の実施に適合され得る重要な情報、例示並びにガイダンスを含む。
【図１】
0006339170.tif 000012
【図２】
0006339170.tif 000013
【図３】
0006339170.tif 000014